(57)【要約】【課題】間欠記録されたＭＰＥＧ２データをＤＶＤビデオデータにフォーマット変換する。【解決手段】ハードディスク部２５から間欠記録されたＭＰＥＧ２データの１つのＩフレームと次のＩフレームの時刻情報を含むパケットデータとを読み出し、この読み出されたＩフレームデータにおける時刻情報と次のＩフレームのパケットデータにおける時刻情報との時間差分を算出して実時間に対する両フレーム間の補間フレーム数を算出し、ダミーフレームを生成すると共にＩフレームの複製を生成して、ＤＶＤビデオ規格のＧＯＰ構造に合致するように、それぞれ生成された複製フレームとダミーフレームとを補間フレーム数分の組み合わせとしてＩフレームデータの後に追加するようにした。【選択図】図４
2007243706.tif 000002
【特許請求の範囲】
【請求項１】
記録媒体に予め間欠的に記録されたＭＰＥＧ２データをＤＶＤビデオデータにフォーマット変換するデータフォーマット変換装置であって、
前記記録媒体から前記記録されたＭＰＥＧ２データの１つのＩフレームデータと次のＩフレームの時刻情報を含むパケットデータとを少なくとも読み出すデータ読出手段と、
前記読み出されたＩフレームデータにおける時刻情報と次のＩフレームのパケットデータにおける時刻情報との時間差分を算出し、実時間に対する両フレーム間の補間フレーム数を算出する補間フレーム数算出手段と、
前記読み出されたＩフレームデータからの動きの差分情報が無いダミーフレームデータを生成すると共に前記Ｉフレームデータの複製フレームデータを生成して、ＤＶＤビデオ規格のＧＯＰ構造に合致するように、前記それぞれ生成された複製フレームデータとダミーフレームデータとを前記算出された補間フレーム数分の組み合わせとして前記読み出されたＩフレームデータの後に追加するフレーム補間手段とを備え、
前記記録媒体に間欠的に記録されたＭＰＥＧ２データのうち所望の記録範囲のＭＰＥＧ２データについて順次フォーマット変換するように構成したデータフォーマット変換装置。
【請求項２】
前記記録媒体から最初に読み出されるＩフレームデータの時刻情報とこのＩフレームデータの次のフレームより順次読み出されて算出される各時間差分とに基づき、各Ｉフレームの時刻情報をそれぞれ算出してＤＶＤビデオ規格に基づく字幕ＰＥＳデータを生成する時刻字幕生成手段を更に備えたことを特徴とする請求項１に記載のデータフォーマット変換装置。
【請求項３】
記録媒体に予め間欠的に記録されたＭＰＥＧ２データをＤＶＤビデオデータにフォーマット変換するデータフォーマット変換方法であって、
前記記録媒体から前記記録されたＭＰＥＧ２データの１つのＩフレームデータと次のＩフレームの時刻情報を含むパケットデータとを少なくとも読み出すデータ読出ステップと、
前記読み出されたＩフレームデータにおける時刻情報と次のＩフレームのパケットデータにおける時刻情報との時間差分を算出し、実時間に対する両フレーム間の補間フレーム数を算出する補間フレーム数算出ステップと、
前記読み出されたＩフレームデータからの動きの差分情報が無いダミーフレームデータを生成し、前記Ｉフレームデータの複製フレームデータを生成して、ＤＶＤビデオ規格のＧＯＰ構造に合致するように、前記それぞれ生成された複製フレームデータとダミーフレームデータとを前記算出された補間フレーム数分の組み合わせとして前記読み出されたＩフレームデータの後に追加するフレーム補間ステップとを有し、
前記記録媒体に間欠的に記録されたＭＰＥＧ２データのうち所望の記録範囲のＭＰＥＧ２データについて順次フォーマット変換するようにしたデータフォーマット変換方法。
【請求項４】
前記記録媒体から最初に読み出されるＩフレームデータの時刻情報とこのＩフレームデータの次のフレームより順次読み出されて算出される各時間差分とに基づき、各Ｉフレームの時刻情報をそれぞれ算出してＤＶＤビデオ規格に基づく字幕ＰＥＳデータを生成する時刻字幕生成ステップを更に備えたことを特徴とする請求項３に記載のデータフォーマット変換方法。
【発明の詳細な説明】
【技術分野】
【０００１】
本発明は、データフォーマット変換装置及びデータフォーマット変換方法に係り、特に、間欠的に記録されているＭＰＥＧ２データをＤＶＤビデオフォーマットに準拠したデータに変換するためのデータフォーマット変換装置及びデータフォーマット変換方法に関する。
【背景技術】
【０００２】
監視カメラで撮像された映像信号を記録装置に記録する映像監視システムにおいて、記録装置にハードディスクドライブを搭載し、映像信号をデジタルデータに変換してデータ圧縮処理した圧縮画像データをハードディスクに記録する映像監視システムが知られている。このような映像監視システムの記録装置では、より長時間の映像記録を行うために、デジタルデータ又は圧縮画像データの映像フレームを間引いて記録する間欠記録方式を採用したものもがある。
【０００３】
このような間欠記録方式を採用した映像監視システムにおいては、圧縮画像データと共に撮像時刻情報が記録装置に記録されるものもある。例えば、圧縮画像データに撮像時のタイムスタンプ情報を関連付けて記録装置に記録し、再生時には、記録された圧縮画像データとタイムスタンプ情報とを読み出して、データ伸長処理された映像と共にタイムスタンプ情報から得られる撮像時刻情報をオンスクリーン情報としてモニタに表示させるものが知られている。
【０００４】
このような映像監視分野で用いられるデータ圧縮方式としては、ＭＰＥＧ２方式やＪＰＥＧ方式が一般的である。このうち、ＪＰＥＧ方式は、圧縮画像データにおける各映像フレームが独立しているため間欠記録方式に適している。一方、ＭＰＥＧ２方式は、圧縮画像データにおける映像フレームがＩ，Ｐ，及びＢフレームによって構成され、Ｉフレームのみが独立フレームであるため、間欠記録方式により記録する場合はＪＰＥＧ方式よりも処理が複雑になるものの、予測フレーム（Ｐ，Ｂフレーム）を用いるため、画質の点でＪＰＥＧ方式よりも有利である。よって、高画質の監視映像が求められる場合には、ＭＰＥＧ２方式による間欠記録方式が望まれる。
【０００５】
しかし、ＭＰＥＧ２データをハードディスクに間欠的に記録する記録装置においては、例えば警備会社等への証拠映像提出といった映像データの搬出の必要性が生じた場合に、ハードディスクから該当する記録期間に関するＭＰＥＧ２データを抜き出して持ち運び、且つ容易に再生させることは極めて困難であった。すなわち、間欠的に記録されたＭＰＥＧ２データの任意の記録期間分のデータをそのまま抽出して可搬可能な記録媒体に記録したとしても、それを再生するためには間欠記録されたＭＰＥＧ２データを再生できる専用の再生装置が必要になる。よって、従来は、記録装置自体を証拠として提出し、この記録装置から映像信号をモニタ出力させて他の録画装置で録画するといったことが行なわれている。そして、この録画の際には、撮像時刻情報をオンスクリーン表示させた状態で撮像映像と共に録画している。
【０００６】
ところで、圧縮画像データを記録する可搬型の記録媒体として、デジタルビデオテープ、ＣＤ、ＤＶＤ、メモリカード等が一般的に知られている。そして、一般的に普及した再生装置で再生可能な記録媒体及び記録方式としては、ＤＶＤ及びＤＶＤビデオフォーマットによる記録方式がよく知られている。
【０００７】
ここで、ＤＶＤビデオフォーマットによるＤＶＤへの記録に関する技術として、ＲＴＲ（Ｒｅａｌ  Ｔｉｍｅ  Ｒｅｃｏｒｄｉｎｇ）フォーマットによるデータストリームをＤＶＤビデオフォーマットに変換してＤＶＤに記録する記録装置及び記録方法が知られている（例えば、特許文献１を参照）。また、テレビジョン放送波から復調された映像信号をデータ圧縮した後、ＤＶＤビデオフォーマットに変換してＤＶＤに記録する記録装置も知られている（例えば、特許文献２を参照）。
【特許文献１】特開２００３−１０１９２７号公報
【特許文献２】特開２００４−２８９３８０号公報
【発明の開示】
【発明が解決しようとする課題】
【０００８】
しかしながら、上記両特許文献の記載においては、予め間欠的に記録されたＭＰＥＧ２データをＤＶＤビデオフォーマットに変換してＤＶＤに記録する技術については触れられておらず、前述した従来の問題点の改善にはなっていない。また、記録装置から映像信号をモニタ出力させて他の録画装置で録画すると、オンスクリーン表示された撮像時刻情報が撮像映像に重なったまま記録されるため、撮像時刻情報に隠れた部分の映像の確認ができないという問題がある。
【０００９】
そこで、本発明は上記問題に鑑みてなされたものであり、その目的は、予め間欠記録されたＭＰＥＧ２データをＤＶＤビデオ規格に準拠したデータフォーマットに変換することにより、最終的にこのフォーマット変換後のデータをＤＶＤに記録することを容易にすることで、データの可搬性と共用性とを良好にするデータフォーマット変換装置及びデータフォーマット変換方法を提供することである。
【課題を解決するための手段】
【００１０】
上記の課題を解決するために、請求項１に記載の発明は、
記録媒体に予め間欠的に記録されたＭＰＥＧ２データをＤＶＤビデオデータにフォーマット変換するデータフォーマット変換装置であって、
前記記録媒体から前記記録されたＭＰＥＧ２データの１つのＩフレームデータと次のＩフレームの時刻情報を含むパケットデータとを少なくとも読み出すデータ読出手段と、
前記読み出されたＩフレームデータにおける時刻情報と次のＩフレームのパケットデータにおける時刻情報との時間差分を算出し、実時間に対する両フレーム間の補間フレーム数を算出する補間フレーム数算出手段と、
前記読み出されたＩフレームデータからの動きの差分情報が無いダミーフレームデータを生成すると共に前記Ｉフレームデータの複製フレームデータを生成して、ＤＶＤビデオ規格のＧＯＰ構造に合致するように、前記それぞれ生成された複製フレームデータとダミーフレームデータとを前記算出された補間フレーム数分の組み合わせとして前記読み出されたＩフレームデータの後に追加するフレーム補間手段とを備え、
前記記録媒体に間欠的に記録されたＭＰＥＧ２データのうち所望の記録範囲のＭＰＥＧ２データについて順次フォーマット変換するように構成したデータフォーマット変換装置
を提供するものである。
【００１１】
請求項２に記載の発明は、
前記記録媒体から最初に読み出されるＩフレームデータの時刻情報とこのＩフレームデータの次のフレームより順次読み出されて算出される各時間差分とに基づき、各Ｉフレームの時刻情報をそれぞれ算出してＤＶＤビデオ規格に基づく字幕ＰＥＳデータを生成する時刻字幕生成手段を更に備えたことを特徴とする請求項１に記載のデータフォーマット変換装置
を提供するものである。
【００１２】
請求項３に記載の発明は、
記録媒体に予め間欠的に記録されたＭＰＥＧ２データをＤＶＤビデオデータにフォーマット変換するデータフォーマット変換方法であって、
前記記録媒体から前記記録されたＭＰＥＧ２データの１つのＩフレームデータと次のＩフレームの時刻情報を含むパケットデータとを少なくとも読み出すデータ読出ステップと、
前記読み出されたＩフレームデータにおける時刻情報と次のＩフレームのパケットデータにおける時刻情報との時間差分を算出し、実時間に対する両フレーム間の補間フレーム数を算出する補間フレーム数算出ステップと、
前記読み出されたＩフレームデータからの動きの差分情報が無いダミーフレームデータを生成し、前記Ｉフレームデータの複製フレームデータを生成して、ＤＶＤビデオ規格のＧＯＰ構造に合致するように、前記それぞれ生成された複製フレームデータとダミーフレームデータとを前記算出された補間フレーム数分の組み合わせとして前記読み出されたＩフレームデータの後に追加するフレーム補間ステップとを有し、
前記記録媒体に間欠的に記録されたＭＰＥＧ２データのうち所望の記録範囲のＭＰＥＧ２データについて順次フォーマット変換するようにしたデータフォーマット変換方法
を提供するものである。
【００１３】
請求項４に記載の発明は、
前記記録媒体から最初に読み出されるＩフレームデータの時刻情報とこのＩフレームデータの次のフレームより順次読み出されて算出される各時間差分とに基づき、各Ｉフレームの時刻情報をそれぞれ算出してＤＶＤビデオ規格に基づく字幕ＰＥＳデータを生成する時刻字幕生成ステップを更に備えたことを特徴とする請求項３に記載のデータフォーマット変換方法
を提供するものである。
【発明の効果】
【００１４】
本発明によれば、予め間欠記録されたＭＰＥＧ２データをＤＶＤビデオフォーマットのデータに変換する構成及び手順としたため、共用性に優れたデータを生成することができる。
【００１５】
また、本発明によれば、ＤＶＤビデオ規格に規定されている字幕技術を用いることにより時刻情報を字幕情報として扱うことができる。この字幕情報は、ＤＶＤビデオ規格に基づく字幕ＯＮ／ＯＦＦ機能によって表示／非表示させることができるため、時刻情報によって撮像映像の部分が見えなくなるという問題が解決される。
【発明を実施するための最良の形態】
【００１６】
以下、本発明を実施するための最良の形態について、好ましい実施例を示して説明する。
【実施例】
【００１７】
図１に、本発明の実施形態に基づく実施例を監視映像記録システムに適用した場合のシステム構成を示す。同図において、監視映像記録システム１は、監視カメラ１１と記録装置１２とを備えている。監視カメラ１１は、撮像した映像信号を予め設定されたＮＴＳＣ方式又はＰＡＬ方式のいずれかの映像出力モードによるアナログ映像信号として出力する。そして記録装置１２は、入力されたアナログ映像信号をデジタルデータに変換して記録する。
【００１８】
図２に、記録装置１２の概略の機能構成をブロック図として示す。同図において、記録装置１２は、映像入力端子２１を介して入力されたアナログ映像信号をフィルタ回路、増幅回路、及び色差フォーマット変換回路によりアナログ信号処理するためのアナログ信号処理部２２と、アナログ信号処理部２２から出力されたアナログ信号をデジタルデータに変換するためのＡ／Ｄ変換部２３と、Ａ／Ｄ変換部２３から出力されたデジタルデータをＭＰＥＧ２方式により符号化してＭＰＥＧ２データを出力するためのＭＰＥＧエンコーダ部２４と、ＭＰＥＧエンコーダ部２４から出力されたＭＰＥＧ２データについて、映像フレーム（Ｉ，Ｐ，Ｂの各ピクチャを指し、単にピクチャともいう。）を所定の間隔で間引きながらハードディスク部２５に間欠的に記録（間欠記録）する制御を行う一方、ハードディスク部２５から間欠記録されたＭＰＥＧ２データを読み出しながらＤＶＤビデオ規格に準拠したデータフォーマットに変換してＤＶＤドライブ部２６に供給する制御を行うための制御部２７とを備えている。そして、制御部２７と各構成部とは同図の如く内部バス２８でそれぞれ接続されている。また、ＤＶＤドライブ部２６には、データ記録可能なＤＶＤ２９が挿入されて、制御部２７の制御によってＤＶＤビデオデータが記録されるようになっている。
【００１９】
なお、ハードディスク部２５は、ＤＶＤのような記録可能な光ディスクや他のディスク記録媒体、或いはメモリ記録媒体であってもよい。
【００２０】
次に、図３に、ＭＰＥＧエンコーダ部２４から出力されるＭＰＥＧ２データについて、制御部２７の制御によって映像フレームが間引かれる状態を模式的に示し、ハードディスク部２５への間欠的なデータ記録について説明する。同図は、一例としてＮＴＳＣ方式に基づくＭＰＥＧ２データの概略のフレーム構成を模式的に表している。ＮＴＳＣ方式に基づくＭＰＥＧ２データは、約３０フレーム／秒で構成されているが、制御部２７は、ＭＰＥＧエンコーダ部２４から出力されるＭＰＥＧ２データについて、０．５秒の周期でＩフレームが出現するようにＭＰＥＧエンコーダ部２４を制御すると共に、この周期で出力されたＩフレームを順次選択してハードディスク部２５に記録するように制御する。
【００２１】
なお、本実施例においては、制御部２７は、０．５秒，１秒，２秒，５秒，又は１０秒のいずれかの周期でＩフレームが出現するようにＭＰＥＧエンコーダ部２４を制御することができ、このいずれかの周期で出力されたＩフレームを選択してハードディスク部２５に記録するように制御することができる。そして、いずれかの周期は、記録装置１２の使用者が任意に設定することができる。
【００２２】
次に、監視映像記録システム１の動作について説明する。監視映像記録システム１の主要な動作は、（１）監視カメラ１１から記録装置１２にアナログ映像信号を供給して、このアナログ映像信号からＭＰＥＧ２データを生成して間欠的にハードディスク部２５に記録する動作と、（２）ハードディスク部２５に間欠的に記録されたＭＰＥＧ２データを読み出してＤＶＤビデオ規格に準拠したデータにフォーマット変換し、ＤＶＤドライブ部２６でＤＶＤ２９に記録する動作とによる。以下、各動作について詳細に説明する。
【００２３】
（１）監視カメラ１１から記録装置１２へのデータ記録
まず、監視映像記録システム１を起動した後、使用者はＮＴＳＣ方式又はＰＡＬ方式のいずれかの映像出力モードを監視カメラ１１に設定すると共に、間欠記録の周期を記録装置１２の制御部２７に設定する。本実施例では、映像出力モードをＮＴＳＣ方式とし、間欠記録の周期を図３の例のように０．５秒に設定したとする。
【００２４】
そして、監視カメラ１１を動作させて撮像映像をアナログ映像信号として出力させ、記録装置１２では、アナログ映像信号を映像入力端子２１を介してアナログ信号処理部２２に入力する。アナログ信号処理部２２は、フィルタ回路、増幅回路、及び色差フォーマット変換回路でアナログ信号処理した後、Ａ／Ｄ変換部２３は、アナログ信号をデジタルデータに変換してＭＰＥＧエンコーダ部２４に供給する。次に、ＭＰＥＧエンコーダ部２４は、制御部２７の制御に基づきデジタルデータをＭＰＥＧ２方式で符号化して出力する。ここで、符号化する際に、現在時刻情報もＭＰＥＧ２データに含められる。次に、制御部２７は、ＭＰＥＧエンコーダ部２４から出力されたＭＰＥＧ２データについて、予め設定された間欠記録の周期（０．５秒）に基づきＩフレームを選択してハードディスク部２５に順次記録する。
【００２５】
なお、ハードディスク部２５に記録される間欠的なＭＰＥＧ２データは、制御部２７の制御に基づきデータファイルとして記録されることが望ましい。
【００２６】
（２）間欠記録されたＭＰＥＧ２データのＤＶＤビデオデータへのフォーマット変換、及びＤＶＤへのデータ記録
本実施例においては、間欠記録されたＭＰＥＧ２データをＤＶＤビデオフォーマットデータに変換する際に、標準再生モード又は長時間再生モードのいずれかの再生モードに応じてフォーマット変換することができる。標準再生モードは、間欠記録されたＭＰＥＧ２データを、時間軸を実時間に合わせてＤＶＤビデオデータにフォーマット変換するモードであり、このモードで変換されたＤＶＤビデオデータを一般的に普及しているＤＶＤビデオ再生装置で再生させると、間欠映像が標準速度で再生される。一方、長時間再生モードは、間欠記録されたＭＰＥＧ２データを時間軸を短縮してＤＶＤビデオデータにフォーマット変換するモードであり、このモードで変換されたＤＶＤビデオデータをＤＶＤビデオ再生装置で再生させると、間欠映像が早送りされるように再生される。しかし、両モードによるＤＶＤビデオデータを比較した場合、同一の容量であれば長時間再生モードの方が標準再生モードよりも長時間の再生が可能である。
【００２７】
さらに、本実施例においては、標準再生モード及び長時間再生モードのいずれにおいても、時刻情報をＤＶＤビデオ規格に準拠した字幕（サブタイトル）として生成することができる（時刻字幕生成機能）。この生成された時刻字幕は、選択的に表示／非表示（ＯＮ／ＯＦＦ）することができる。
【００２８】
以上説明した標準再生モード又は長時間再生モードのいずれかの選択や、時刻字幕生成機能のＯＮ／ＯＦＦの選択は、記録装置１２の使用者によって予め制御部２７に任意に選択及び設定される。
【００２９】
図４は、ハードディスク部２５に記録されている間欠的なＭＰＥＧ２データを１フレームずつ読み出してＤＶＤビデオデータにフォーマット変換する制御部２７の処理の例を示したフローチャートである。同図を併せ参照して説明すると、制御部２７は、ハードディスク部２５から間欠記録されたＭＰＥＧ２データの１フレーム分を読み出すと共に、次の１フレームの時刻情報が含められたパケットを含むヘッダ情報を少なくとも読み出す。次に、両フレームの時刻情報に基づき２フレーム間の時間差分を算出し、この時間差分と映像出力モードとに基づいて、補間する際の補間フレーム数を算出する（ステップＳ４０１）。
【００３０】
＜標準再生モード＞
次に、制御部２７は、予め設定された再生モードを判別し（ステップＳ４０２）、判別結果が標準再生モードである場合、制御部２７は、動きの差分情報が無いＰフレームをダミーフレームとしてステップＳ４０１で算出した補間フレーム数分生成してステップＳ４０１で読み出されたフレームの次に追加する。但し、ＤＶＤビデオ規格には、１つのＧＯＰ（Ｇｒｏｕｐ  ｏｆ  Ｐｉｃｔｕｒｅｓ）を構成するフレーム数は１８であり、特殊再生等を行なう場合に必要なナビゲーション情報は０．４秒〜１．２秒の間に挿入しなければならないという制限がある。よって、このＤＶＤビデオフォーマットに合致させるために、制御部２７は、ハードディスク部２５から読み出されたＩフレームの複製を生成してＧＯＰを再構築するように制御する。また、制御部２７は、ＤＶＤビデオ規格に規定されている時間間隔でナビゲーション情報のパケットを挿入するよう制御する（ステップＳ４０３）。
【００３１】
図５に、標準再生モードにおけるダミーフレームの追加処理を模式的に表した図を示す。同図は、間欠記録の周期を０．５秒としてハードディスク部２５に間欠記録されたＭＰＥＧ２データから１フレームを読み出した後に、１４フレーム分のダミーフレームを追加する処理を示している。このように映像フレームを構成することにより、間欠記録されたＭＰＥＧ２データを標準の再生速度で再生可能にすることができる。
【００３２】
次に、制御部２７は、予め設定された時刻字幕生成機能のＯＮ／ＯＦＦの状態を検出し（ステップＳ４０４）、時刻字幕生成機能がＯＮである場合は、ハードディスク部２５から読み出されたＩフレーム単位に字幕ＰＥＳ（Ｐａｃｋｅｔｉｚｅｄ  Ｅｌｅｍｅｎｔａｒｙ  Ｓｔｒｅａｍ）データを生成する。時刻情報は、最初にハードディスク部２５から読み出された先頭Ｉフレームの時刻情報と、この先頭Ｉフレームからのフレーム数と、映像出力モードとに基づいて経過時間を算出することにより取得でき、この取得された時刻情報を字幕のＰＥＳデータとしてフレームと同期させて出力する（ステップＳ４０５）。一方、ステップＳ４０４において時刻字幕生成機能がＯＦＦである場合は、字幕ＰＥＳデータは作成せずに処理を終了する。
【００３３】
＜長時間再生モード＞
ステップＳ４０２において、制御部２７が予め設定された再生モードを判別し、判別結果が長時間再生モードである場合、制御部２７は、ダミーフレームの生成と追加の処理は実行せず読み出された１フレームを順次追加していく。そして、上述した標準再生モードにおけるステップＳ４０３の処理のように、制御部２７は、ＤＶＤビデオ規格に規定されている時間間隔でナビゲーション情報のパケットを挿入するよう制御する（ステップＳ４０６）。
【００３４】
図６に、長時間再生モードにおけるフレーム間隔の変更処理を模式的に表した図を示す。同図は、間欠記録の周期を０．５秒としてハードディスク部２５に記録されたＭＰＥＧ２データから１フレームを読み出した後に、ダミーフレームを挿入せずフレーム間隔を変更している様子を示している。このようにフレームを構成することにより、間欠記録されたＭＰＥＧ２データをあたかも標準再生よりも早く再生しているような再生を可能にすると共に、データ容量において標準再生モードよりも長時間のデータ容量とすることが可能である。
【００３５】
次に、制御部２７は、予め設定された時刻字幕生成機能のＯＮ／ＯＦＦの状態を検出し（ステップＳ４０７）、時刻字幕生成機能がＯＮである場合は、ハードディスク部２５から読み出されたＩフレーム単位に字幕ＰＥＳデータを生成する。時刻情報は、最初にハードディスク部２５から読み出された先頭Ｉフレームの時刻情報と、この処理されたフレームのフレーム数とステップＳ４０１で算出した補間フレーム数とを加算することにより求められる実時間での経過時間とによって取得できる。そして、その時刻情報を字幕のＰＥＳデータとしてフレームと同期させて出力する（ステップＳ４０８）。一方、ステップＳ４０７において時刻字幕生成機能がＯＦＦである場合は、字幕データは作成せずに処理を終了する。
【００３６】
以上のようにＤＶＤビデオデータにフォーマット変換されたデータは、制御部２７の制御によって、ハードディスク部２５に新たなファイルデータとして記録されたり、不図示のメモリ部に記憶されたりする。そして、このＤＶＤビデオデータは、制御部２７の制御によってＤＶＤドライブ部２６に供給され、挿入されたＤＶＤ２９に記録される。
【００３７】
以上詳述したように、本実施例による監視映像記録システム１によれば、監視カメラ１１から記録装置１２にアナログ映像信号が供給されて、記録装置１２では、アナログ映像信号がＭＰＥＧ２データに符号化されて間欠的にハードディスク部２５に記録される。そして、記録装置１２では、ハードディスク部２５に間欠記録されたＭＰＥＧ２データが、制御部２７の制御によって標準再生モード又は長時間再生モードのいずれかの再生モードでＤＶＤビデオ規格に準拠したデータにフォーマット変換されてＤＶＤドライブ部２６に装着されたＤＶＤ２９に記録される。したがって、ハードディスク部２５に間欠的に記録されたＭＰＥＧ２データについて、任意の撮像時間帯分のデータを簡易にＤＶＤビデオデータにフォーマット変換することができ、その変換後のＤＶＤビデオデータをＤＶＤ２９に容易に記録することができるため、持ち運びに便利で且つ一般的に普及しているＤＶＤビデオ再生装置で再生可能な記録媒体（ＤＶＤ）を容易に制作することができる。
【００３８】
また、本実施例による監視映像記録システム１によれば、ＤＶＤビデオ規格で規定されている字幕技術を用いることによって時刻情報を字幕情報として扱うことができる。この字幕情報は、一般的なＤＶＤビデオ再生装置の字幕ＯＮ／ＯＦＦ機能によって表示／非表示させることができるため、時刻情報によって撮像映像の部分が見えなくなるという問題が解決される。
【００３９】
なお、本実施例においては、監視映像記録システム１を構成する監視カメラ１１は１台として説明したが、この監視カメラは複数台が記録装置に接続される構成であってもよい。複数台の監視カメラを使用する場合は、それぞれの監視カメラにユニークな識別子を付与しておき、記録装置１２が各監視カメラを認識できるようにしておく必要がある。
【００４０】
また、本実施例による監視映像記録システム１においては、監視カメラ１１から記録装置１２への接続線はアナログ映像信号として説明したが、これに限らずデジタル信号であってもよく、更には監視カメラ１１をネットワークカメラとして構成し、全ての装置をネットワークを介して接続するように構成してもよい。この場合には、ＭＰＥＧエンコーダ部２４の機能を記録装置側ではなくネットワークカメラ側に設けてネットワーク上のトラフィックを軽減させるように構成することが望ましい。
【図面の簡単な説明】
【００４１】
【図１】本発明の実施形態に基づく実施例を監視映像記録システムに適用した場合のシステム構成を示した図である。
【図２】監視映像記録システムの記録装置の概略の機能構成を示したブロック図である。
【図３】ＭＰＥＧエンコーダ部から出力されるＭＰＥＧ２データが、制御部の制御によって映像フレームが間引かれる状態を模式的に示した図である。
【図４】ハードディスク部に間欠記録されているＭＰＥＧ２データを１フレームずつ読み出してＤＶＤビデオフォーマットに変換する制御部の処理の例を示したフローチャートである。
【図５】標準再生モードにおけるダミーフレームの挿入処理を模式的に表した図である。
【図６】長時間再生モードにおけるフレーム間隔の変更処理を模式的に表した図である。
【符号の説明】
【００４２】
１  監視映像記録システム
１１  監視カメラ
１２  記録装置
２１  映像入力端子
２２  アナログ信号処理部
２３  Ａ／Ｄ変換部
２４  ＭＰＥＧエンコーダ部
２５  ハードディスク部
２６  ＤＶＤドライブ部
２７  制御部
２８  内部バス
２９  ＤＶＤ
【図１】
2007243706.tif 000003
【図２】
2007243706.tif 000004
【図３】
2007243706.tif 000005
【図４】
2007243706.tif 000006
【図５】
2007243706.tif 000007
【図６】
2007243706.tif 000008